(57)【要約】【課題】  本発明は、衣料品や洋品小物といった物品において、デザイン性が損なわれたり、違和感が発生したりすることがない真贋判定のための識別手段を提供することを目的とする。【解決手段】  識別媒体１０１として、布地１０２、黒の普通のインクによる通常印刷層１０３、コレステリック液晶を含有したインクによる識別印刷層１０４を積層した構造とする。ここで、識別印刷層１０４によって所定の文字印刷を形成することで、コレステリック液晶の光学特性を利用した印字表示を行うことができる。通常印刷層１０３を平坦化層として機能させることで、布地１０２表面の凹凸が緩和され、識別印刷層１０４の光学特性を効果的に発現させることができる。【選択図】  図１
2006215477.tif 000002
【特許請求の範囲】
【請求項１】
織布または不織布の布地上にコレステリック液晶を含有したインクによる識別印刷層が設けられていることを特徴とする識別媒体。
【請求項２】
前記識別印刷層と前記布地との間に所定の色彩を示す通常印刷層が設けられていることを特徴とする請求項１に記載の識別媒体。
【請求項３】
前記通常印刷層が光吸収層として機能することを特徴とする請求項２に記載の識別媒体。
【請求項４】
前記通常印刷層が前記布地表面の凹凸を緩和する平坦化層として機能することを特徴とする請求項１〜３のいずれかに記載の識別媒体。
【請求項５】
前記布地が繊維ラベルを構成していることを特徴とする請求項１〜４のいずれかに記載の識別媒体。
【請求項６】
前記通常印刷層は、サーモクロミックインクまたはフォトクロミックインクを用いた印刷層であることを特徴とする請求項２〜５のいずれかに記載の識別媒体。
【請求項７】
前記請求項１〜６のいずれかに記載された識別媒体を備えることを特徴とする識別媒体を備えた物品。
【発明の詳細な説明】
【技術分野】
【０００１】
本発明は、視覚的な効果により物品の真贋性（真正性）を識別することが可能な識別媒体に関する。
【背景技術】
【０００２】
衣料品、洋品小物（ハンカチ等）、靴あるいはバッグ等の物品において、見た目を本物に似せて製造した偽物が市場に出回り問題となっている。このような状況において、品質、安全性、あるいはブランド力の維持のために、物品の真贋性を識別することができる技術が求められている。
【０００３】
物品の真贋性を識別する手段として、特殊な見え方をする識別媒体がある。例えば、ホログラム表示機能を有する識別媒体やコレステリック液晶が示す光学特性を利用した識別媒体が知られている。コレステリック液晶を用いた識別機能については、例えば特許文献１や特許文献２に示されている。
【０００４】
【特許文献１】特開昭６３−５１１９３号公報
【特許文献２】特開平４−１４４７９６号公報
【発明の開示】
【発明が解決しようとする課題】
【０００５】
しかしながら、上述した衣料品や洋品小物は、デザイン性が非常に重要であり、上述したような識別媒体の小片を取り付けることには抵抗感や違和感がある。また、従来の識別媒体は、シールのように接着層や粘着層の作用により、対象物に貼り付ける形態のものであった。しかしながら、シール構造のものは、衣料品等の繊維製品に固定し難いという問題があった。
【０００６】
そこで、本発明は、衣料品や洋品小物といった物品において、デザイン性が損なわれたり、違和感が発生したりすることがなく、繊維製品に固定が可能な、真贋判定のための識別手段を提供することを目的とする。
【課題を解決するための手段】
【０００７】
本発明の識別媒体は、織布または不織布の布地上にコレステリック液晶を含有したインクによる識別印刷層が設けられていることを特徴とする。本発明によれば、コレステリック液晶の光学特性を示す識別表示部分を備えた布地が提供される。
【０００８】
本発明によれば、布地を基材として識別媒体を構成できるので、布製品等の物品のデザイン性が損なわれないようにすることができる。また、布製品等に違和感なく導入することができる。特に、本発明を繊維ラベルに適用することで、従来からある繊維ラベルに真贋判定機能を与えることができる。
【０００９】
コレステリック液晶を含有したインク（液晶インク）というのは、コレステリック液晶層を鱗片状に細かくしたものを通常インクのビヒクル中に分散したものをいう。通常インクというのは、印刷等に用いることを目的としたインクのことをいう。
【００１０】
コレステリック液晶を含有したインクを印刷して層状にすると、鱗片状のコレステリック液晶層が層状に分布し、コレステリック液晶層としての機能を発現する。このコレステリック液晶を含有したインクを用いると、コレステリック液晶層の機能を発現する層を印刷により形成することができる。  
【００１１】
コレステリック液晶を含んだインクは、コレステリック液晶を粉体状の顔料に加工したものを入手し、それをインク溶媒中に分散させることで得ることができる。コレステリック液晶を粉体状の顔料に加工したものとしては、ワッカーケミー社製の製品が知られている。
【００１２】
また、本発明の識別媒体において、識別印刷層と布地との間に所定の色彩を示す通常印刷層が設けられている構成を採用することは好ましい。
【００１３】
後述するように、コレステリック液晶層は、所定旋回方向であり、かつ所定波長の光を反射し、その他の成分を透過させる光学的な性質がある。そして、この光学的な性質を利用することで識別性を発現させている。
【００１４】
この光学機能においては、コレステリック液晶層からの反射光を認識することで識別が行われるので、良好な識別性を得るためには、コレステリック液晶層を透過した光が、ある程度その背後（コレステリック液晶層の下地側）において吸収される必要がある。
【００１５】
上述した通常印刷層を布地と識別印刷層との間に挟む構造とし、さらに通常印刷層の色彩を適宜選択することで、上述した要求事項を容易に満足することができる。例えば、通常印刷層を構成するインクとして、黒インクや濃い色のインクを用いることで、通常印刷層を光吸収層（可視光を吸収する層）として機能させることができる。
【００１６】
また、上述した通常印刷層は、布地表面の凹凸具合を緩和する平坦化層としても機能する。すなわち、布地の表面は、布地を構成する繊維が存在する関係で、繊維径程度の寸法の凹凸を有している。コレステリック液晶を含有したインクを用いて、布地に識別印刷層を直接印刷した場合、識別印刷層の層構造は、布地表面の凹凸の影響を直接受けてしまう。つまり、コレステリック液晶層が凹凸に沿って分布した構造になってしまう。
【００１７】
識別印刷層は、鱗片状のコレステリック液晶層が層状に分布している微細構造を有しているので、層構造が凹凸に波打っていると、鱗片状のコレステリック液晶層もその波打った層状に分布してしまう。そうすると、鱗片状のコレステリック液晶層のそれぞれの光軸（コレステリック液晶層に垂直な軸）が、波打った層構造に従って微妙にばらついてしまう。つまり、識別印刷層を視野角０°から見た場合に、多数分布した各コレステリック液晶片の光軸が層の凹凸構造に対応して、微妙にばらついてしまう。
【００１８】
その結果、後述するコレステリック液晶が示す視覚効果がぼやけてしまう。つまり、コレステリック液晶が示す光学特性の明確性が損なわれたものとなってしまう。
【００１９】
しかしながら、布地と識別印刷層との間に通常印刷層を平坦化層として配置した構造を採用すると、通常印刷層によって布地の凹凸が吸収され、布地の凹凸が識別印刷層に与える影響を緩和することができる。そのため、基材に布地を用いても、コレステリック液晶の視覚効果の明確性が損なわれることを抑制することができる。つまり、布地を基材に用いた場合に、コレステリック液晶の光学特性を明確に得ることができる。
【００２０】
本発明の識別媒体において、布地を利用して繊維ラベルを構成することは好ましい。繊維ラベルは、衣料品等において、ブランド名、サイズ、あるいは洗濯時における注意事項等が表示された小片状の布地である。繊維ラベルに本発明を適用することで、デザイン性を阻害せずに、物品に識別機能を備えることができる。つまり、既に存在している繊維ラベルにコレステリック液晶を用いた識別機能を付与することができる。なお、繊維ラベルの中で、表示が印刷によって行われているものがプリントネーム、表示が刺繍によって行われているものが織ネームと称されている。
【００２１】
本発明の識別媒体において、布地に刺繍が施されていてもよい。この態様によれば、コレステリック液晶による視覚効果と刺繍の視覚効果とを組み合わせた識別機能を得ることができる。
【００２２】
本発明の識別媒体において、通常印刷層は、サーモクロミックインクまたはフォトクロミックインクを用いた印刷層とすることもできる。通常印刷層を、サーモクロミックインクやフォトクロミックインクを用いて構成すると、加熱や光照射による光学特性の変化を観察でき、より識別性を高くすることができる。
【００２３】
本発明は、上述した識別媒体を備えた物品として把握することもできる。物品としては、衣料品、洋品小物、靴、バッグ、ぬいぐるみ、財布、その他布製品を挙げることができる。洋品小物としては、ハンカチ、靴下、手袋、帽子、ネクタイ等を挙げることができる。
【００２４】
以下、コレステリック液晶について説明する。図３は、コレステリック液晶層の構造を示す概念図であり、図４は、コレステリック液晶層が有する光学的な性質を説明する概念図である。図４には、自然光を入射させると、特定波長の右回り円偏光が反射され、左回り円偏光および直線偏光、さらにその他の波長の右回り円偏光がコレステリック液晶層２０１を透過する様子が示されている。
【００２５】
コレステリック液晶層は、層状構造を有している。そして、一つの層に着目した場合、層中において液晶分子の分子長軸はその向きが揃っており、かつ層の面に平行に配向している。そして配向の方向は、層の厚さ方向に隣接する層において少しずつずれており、全体としては立体的なスパイラル状に配向が回転しつつ各層が積み重なった構造を有している。
【００２６】
この構造において、層に垂直な方向で考えて、分子長軸が３６０°回転して元に戻るまでの距離をピッチＰ、各層内の平均屈折率をｎとする。この場合、コレステリック液晶層は、λｓ＝ｎ×Ｐを満たす、中心波長λｓで特定旋回方向の円偏光を選択的に反射する性質を示す。すなわち、白色光をコレステリック液晶層に入射させると、特定の波長を中心波長とする右回りまたは左回り円偏光を選択的に反射する。この場合、反射した円偏光と同じ旋回方向を有するが波長がλｓでない円偏光、反射した円偏光と逆旋回方向の円偏光、さらに直線偏光の成分は、コレステリック液晶層を透過する。
【００２７】
反射する円偏光の旋回方向（回転方向）は、コレステリック液晶層のスパイラル方向を選択することで決めることができる。つまり、光の入射方向から見て、右ネジの向きに螺旋を描いて各層における分子長軸が配向しているか、左ネジの向きに螺旋を描いて各層における分子長軸が配向しているか、を選択することで、反射する円偏光の旋回方向（回転方向）を決めることができる。
【００２８】
また、コレステリック液晶は視野角によって色が変わるカラーシフトと呼ばれる光学的な性質を示す。これは、視野角が大きくなると、ピッチＰが見かけ上減少することから、中心波長λｓが短波長側へ移行するためである。たとえば、垂直方向から観察して赤色に呈色するコレステリック液晶の反射色は、視野角を大きくするに従いオレンジ色、黄色、緑色、青緑色、青色と順次変化するように観察される。なお、視野角は、視線と識別媒体表面の垂線とのなす角度として定義される。
【発明の効果】
【００２９】
本発明によれば、布地を基材としてコレステリック液晶を利用した識別媒体を構成することができる。このため、衣料品や洋品小物といった物品において、デザイン性が損なわれたり、違和感が発生したりすることがない真贋判定のための識別手段を提供することができる。
【発明を実施するための最良の形態】
【００３０】
１．第１の実施形態
（実施形態の構成）
図１は、発明を利用した識別媒体の断面構造の概要を示す断面図である。図２は、図１に示す識別媒体の正面図である。なお、図２のＡ−Ａ’で切った断面を示すのが図１に示す断面図である。
【００３１】
図１に示す識別媒体１０１は、布地１０２、通常印刷層１０３、および識別印刷層１０４を備えている。この例において、識別媒体１０１は、衣料品に縫い付けられる繊維ラベルを構成する。また、この例においては、図２に示すように、識別印刷層１０４により、「１２３」との表示が印刷されている。
【００３２】
布地１０２は、合成繊維の織布によって構成される繊維ラベルの基材である。布地１０２は、通常の繊維ラベルを構成する布地をそのまま利用することができる。
【００３３】
布地１０２上には、通常印刷層１０３が形成されている。通常印刷層１０３は、黒い通常インクを印刷したものである。通常印刷層１０３は、布地１０２表面の凹凸を吸収し、平坦化された表面を形成する平坦化層として機能する。
【００３４】
すなわち、布地１０２は、織布であり、繊維が織られた構造を有している。そのため、布地１０２の表面は、繊維径程度の高低差の凹凸を有している。通常印刷層１０３は、この凹凸を吸収し、より平坦化された表面を提供する。
【００３５】
通常印刷層１０３の上には、識別印刷層１０４が形成されている。識別印刷層１０４は、図２に示すように、「１２３」と数字が印刷表示されたものとなっている。なお、印字内容は、数字以外に、文字、図形、その他適当な図柄のデザインを採用することができる。
【００３６】
識別印刷層１０４を形成する液晶インクは、顔料としてワッカーケミー社製の液晶インク原料（コレステリック液晶粉を含んだ顔料）をインク溶媒中に分散させたものを用いることができる。ここでは、右回りで緑の円偏光を選択的に反射する設定のコレステリック液晶層を含んだ顔料を選択する。
【００３７】
ここで説明する識別媒体１０１は、一般的に衣料品（例えばシャツや背広）に取り付けられている繊維ラベルとして利用することができる。この繊維ラベルは、コレステリック液晶が有する光学機能を備えている点に特徴がある。
【００３８】
この識別媒体１０１は、従来からある繊維ラベルと同じように利用できる。また、一瞥しただけでは、従来からある繊維ラベルと同様な外観を有している。このため、衣料品等のデザイン性を損なうことなく、真贋判定のための識別機能を与えることができる。また、その使用に際して、違和感が発生したりすることがない。
【００３９】
（実施形態の光学機能）
次に、図１および図２に示す識別媒体１０１の光学的な機能について説明する。まず、識別媒体１０１を正面から見ると、黒い背景の中に識別印刷層１０４の表示「１２３」が緑色に鮮やかに浮かんで見える。これは、識別印刷層１０４から緑の波長帯域の右回り円偏光が選択的に反射され、他の波長帯域の右回り円偏光、左回り円偏光、および直線偏光は、識別印刷層１０４を透過し、黒の通常印刷層１０３に吸収されるからである。
【００４０】
そして、右回りの円偏光を選択的に透過する光学フィルタを介して、識別媒体１０１を見ると、上記の直視した場合と同様の状態が観察される。これは、識別印刷層１０４から反射した緑色の右回り円偏光が、さらに光学フィルタを透過し、それが観察されるからである。
【００４１】
次に、左回りの円偏光を選択的に透過する光学フィルタを介して、識別媒体１０１を見ると、識別印刷層１０４の緑色の表示が暗くなり、見え難くなる。すなわち、それまで鮮やかに見えていた緑色の表示のコントラスト（黒い背景との間のコントラスト）が、低下し、その鮮やかさが失われた状態が観察される。
【００４２】
これは、使用している光学フィルタが左回り円偏光を選択的に透過し、右回り円偏光を遮断する性質を備えているからである。すなわち、識別印刷層１０４から反射した緑色の右回り円偏光が、光学フィルタによって遮断されるからである。
【００４３】
このように、繊維ラベルとして使われる識別媒体１０１は、所定旋回方向の円偏光を選択的に透過する光学フィルタを介して観察することで、所定の印刷表示が見えたり、見え難かったりする識別性を示す。そしてこの機能を利用することで、真贋判定を行うことができる。すなわち、見た目を識別媒体１０１に似せた偽物を作成したとしても、光学フィルタを介した観察を行った場合に、上述した光学機能が確認できなければ、偽物と判断することができる。
【００４４】
ここでは、最も簡単な例として、通常印刷層１０３が黒の場合を説明したが、通常印刷層１０３の色合いを微妙に設定（例えば、濃い青や濃い赤）することで、識別印刷層１０４の色合いを独特なものに調整することができる。この色合いの設定は、布地１０２の色合いとの兼ね合いも関係するので、ノウハウが必要であり、見た目から再現することは困難である。このため、偽物を再現することは困難となる。このことは、真贋判定用の識別媒体として有利となる。
【００４５】
ここでは、光学フィルタを介して観察する例を説明したが、光学フィルタを介した光を識別媒体に照射し、その反射光を観察してもよい。すなわち、識別媒体に右回り円偏光または左回り円偏光の光を照射し、その反射光を観察してもよい。
【００４６】
２．第２の実施形態
図１および図２に示す態様において、布地１０２に刺繍による模様や図柄を形成することもできる。この場合、識別印刷層１０４の表示に、布地１０２に施された刺繍の表示を組み合わせることができる。
【００４７】
３．第３の実施形態
以下、図１および図２に示す識別媒体１０１を繊維ラベルとして、ネクタイに取り付けた場合の例を説明する。この場合、ネクタイの一端の内側に識別媒体１０１を繊維ラベルとして取り付ける。
【００４８】
このネクタイは、普通の見た目では、通常の繊維ラベルを取り付けたネクタイと何ら変わるところはない。しかしながら、所定旋回方向の円偏光を選択的に透過する光学フィルタを介して、繊維ラベル部分を観察することで、コレステリック液晶が示す特異な光学特性による識別性を得ることができる。そしてこの識別性を利用することで、ネクタイの真贋判定を行うことができる。このように本発明を利用することで、従来からのデザイン性を損なうことなく、そこに高い真贋判定機能を有する識別性を付与することができる。
【００４９】
この例において、図２に示すような識別媒体をネクタイの布地に直接形成してもよい。すなわち、ネクタイを構成する布地を基材として、そこに通常印刷層１０３そして識別印刷層１０４を形成し、部分的に識別機能を付与した構成とすることもできる。この場合、ネクタイの裏地等を利用することで、デザイン性を損なうことなく識別機能をネクタイに与えることができる。
【００５０】
ここでは、物品の一例としてネクタイの例を挙げたが、他の洋品小物や衣料品であっても同様な構成が適用可能である。
【００５１】
（他の実施形態）
通常印刷層１０３を構成するインクとして、サーモクロミックインク（感熱変化インク）用いることができる。例えば、通常印刷層１０３を、加熱した際に黒→透明になるサーモクロミックインクを用いて構成する。この場合、常温では、上述した光学機能を得ることができる。そして、アイロンや適当な加熱手段によって加熱すると、通常印刷層１０３は透明（あるいはある程度透けて見える状態）に変化する。その結果、通常印刷層１０３の光吸収層としての機能が喪失（あるいは低下）し、上述した光学機能が得られなくなる。この現象を利用することで、識別媒体１０１の識別機能をさらに高めることができる。
【００５２】
また、本発明の他の一例として、サーモクロミックインクあるいはフォトクロミックインクを用いた通常印刷層に対して、部分的な加熱や部分的な光照射を行って所定の文字、記号、模様等の図柄を形成し、さらにこの所定の図柄を形成した通常印刷層上の全面に液晶インクを塗った構造を挙げることができる。この構造においては、熱や光によって形成された図柄が、反射特性の違いによる識別性を示す。この構造においては、全面に熱をかけたり、光を照射したりすることにより、通常印刷層に形成された図柄がぼやける。そしてこの現象を利用することにより、真贋を判定することができる。
【００５３】
加熱すると透明になるサーモクロミックインクとしては、光重合組成物と、脂肪族アミンまたは芳香族アミンを含む膜材料により可逆熱変色性組成物を内包し、この膜材料が酸性物質によりイオン化しているマイクロカプセル顔料を利用することができる。
【００５４】
サーモクロミックインクとしては、加熱すると黒→透明と変化する種類以外に、加熱すると、黒（濃い色）→他の色、加熱すると他の色→黒（濃い色）、加熱すると透明→所定の色、と変化するものを利用することもできる。
【００５５】
市販されているサーモクロミックインクとしては、クロマティックテクノロジー（CHROMATIC TECHNOLOGIES, INC:米国）社のサーモクロミックインキ（商品名：DYNACOLOR）が知られている。
【００５６】
また、光照射によって、色彩感や透過状態が変化するフォトクロミック材料を用いたインク（フォトクロミックインク）を用いても良い。この場合、例えば紫外線の照射によって、フォロクロミックインクの層が黒色から光透過性に変化する性質を得ることができる。
【００５７】
フォトクロミックインクというのは、熱ではなく、光（例えば紫外線）の照射によって色彩が変化する性質を示すインクのことをいう。フォトクロミックインクは、光学機能の変化因子として光が利用される点を除けば、サーモクロミックインクとおなじである。
【００５８】
フォトクロミックインクは、光照射によって光異性化を起こす材料を用いたものが一般的である。フォトクロミックインクとしては、例えばアドベンゼン系染料、シッフ塩素系材料、０−ニトロベンゼン系材料を用いたインクを挙げることができる。
【００５９】
市販されているフォトクロミックインクとしては、クロマティックテクノロジー（CHROMATIC TECHNOLOGIES, INC:米国）社のフォトクロミックインキ（商品名：DYNACOLOR）が知られている。
【産業上の利用可能性】
【００６０】
本発明は、真贋判定を目視により行うことができる識別媒体に適用することができる。
【図面の簡単な説明】
【００６１】
【図１】発明を利用した識別媒体の断面構造を示す断面図である。
【図２】発明を利用した識別媒体を正面から見た状態を示す概要図である。
【図３】コレステリック液晶層の層構造を示す概念図である。
【図４】コレステリック液晶層が示す光学特性を説明するための概念図である。
【符号の説明】
【００６２】
１０１…識別媒体、１０２…布地、１０３…通常印刷層、１０４…識別印刷層、２０１…コレステリック液晶層。
【図１】
2006215477.tif 000003
【図２】
2006215477.tif 000004
【図３】
2006215477.tif 000005
【図４】
2006215477.tif 000006